(57)【特許請求の範囲】
【請求項１】
収納家具の格納部の開口から出し入れされる可動収納体と、この可動収納体に装着される収納容器とを備えた収納装置であって、
前記可動収納体に、この可動収納体を前後方向に区画区分する仕切り体が設けられると共に、前記格納部の前記開口を遮蔽するための前記可動収納体の前板の裏側に被引掛部が設けられ、
前記収納容器の後端部に、前記仕切り体に引掛け可能なフック部が設けられると共に、前記収納容器の前端部に前記被引掛部に引掛け可能な第２フック部が設けられ、
前記フック部に装着可能な係合部を有すると共に、前記被引掛部に前記第２フック部を引掛けたときに、下端が前記可動収納体の底面に接触可能なアジャスターを別体として備えることを特徴とする収納装置。
【請求項２】
前記フック部、前記第２フック部が同じ高さで且つ断面形状が同じであることを特徴とする請求項１に記載の収納装置。
【請求項３】
前記被引掛部は、一部又は全部が前記前板の厚み内に位置していることを特徴とする請求項１又は請求項２に記載の収納装置。
【請求項４】
前記前板の上辺に左右方向にわたって把手体が備えられ、この把手体の裏側の一部に前記被引掛部が設けられたことを特徴とする請求項１に記載の収納装置。
【請求項５】
収納家具の格納部の開口から出し入れされる可動収納体と、この可動収納体に装着される収納容器とを備えた収納装置であって、
前記可動収納体に、この可動収納体を前後方向に区画区分する仕切り体が設けられると共に、前記格納部の前記開口を遮蔽するための前記可動収納体の前板の裏側に被引掛部が設けられ、
前記収納容器の後端部に、前記仕切り体に引掛け可能なフック部が設けられると共に、前記収納容器の前端部に前記被引掛部に引掛け可能な第２フック部が設けられ、
前記前板の上辺に左右方向にわたって把手体が備えられ、この把手体の裏側の一部に前記被引掛部が設けられたことを特徴とする収納装置。
【請求項６】
前記可動収納体に前記収納容器が取付けられた状態で、前記収納容器の底面が、前記可動収納体の底面と非接触となることを特徴とする請求項１乃至請求項５のいずれか一項に記載の収納装置。
【請求項７】
前記仕切り体及び被引掛部が前記可動収納体の略全巾方向にわたって設けられ、前記可動収納体の巾方向の任意の位置に、前記収納容器が配置可能となっていることを特徴とする請求項１乃至請求項６のいずれか一項に記載の収納装置。
【請求項８】
前記収納容器は、浅い容器部と深い容器部が一体に形成されていることを特徴とする請求項１乃至請求項７のいずれか一項に記載の収納装置。
【発明の詳細な説明】
【技術分野】
【０００１】
本発明は、収納装置に関するものである。
【背景技術】
【０００２】
家具、キッチン等に設けられる引出などの可動収納体に、小物を収納するための収納容器を取付けた収納装置として特許文献１が従来から知られている。
【０００３】
特許文献１に示された収納装置は、収納容器の後端に断面逆Ｕ字状のフック部を設け、該フック部を可動収納体である引出内を仕切る仕切体に引っ掛けることで取付けている。
【先行技術文献】
【特許文献】
【０００４】
【特許文献１】特許第４３６３８７６号公報
【発明の概要】
【発明が解決しようとする課題】
【０００５】
しかし、特許文献１に示された収納容器は、後端に設けたフック部のみを仕切体に引っ掛けることで取付けているので、取付けが不安定で、収納容器に上方からの荷重が作用すると、後端のフック部の引っ掛け部分を中心に前下がりに傾いたり、回動したりしやすい。
【０００６】
本発明は前記事情に鑑みてなされたものであって、可動収納体に収納容器を安定して取付けることができる収納装置を提供することを課題とする。
【課題を解決するための手段】
【０００７】
本発明の収納装置は、収納家具の格納部の開口から出し入れされる可動収納体と、この可動収納体に装着される収納容器とを備えた収納装置であって、前記可動収納体に、この可動収納体を前後方向に区画区分する仕切り体が設けられると共に、前記格納部の前記開口を遮蔽するための前記可動収納体の前板の裏側に被引掛部が設けられ、前記収納容器の後端部に、前記仕切り体に引掛け可能なフック部が設けられると共に、前記収納容器の前端部に前記被引掛部に引掛け可能な第２フック部が設けられ、前記フック部に装着可能な係合部を有すると共に、前記被引掛部に前記第２フック部を引掛けたときに、下端が前記可動収納体の底面に接触可能なアジャスターを別体として備えることを特徴とする。
また、前記フック部、前記第２フック部が同じ高さで且つ断面形状が同じであることが好ましい。
また、前記被引掛部は、一部又は全部が前記前板の厚み内に位置していることも好ましい。
あるいは、前記前板の上辺に左右方向にわたって把手体が備えられ、この把手体の裏側の一部に前記被引掛部が設けられることが好ましい。
また、本発明の収納装置は、収納家具の格納部の開口から出し入れされる可動収納体と、この可動収納体に装着される収納容器とを備えた収納装置であって、前記可動収納体に、この可動収納体を前後方向に区画区分する仕切り体が設けられると共に、前記格納部の前記開口を遮蔽するための前記可動収納体の前板の裏側に被引掛部が設けられ、前記収納容器の後端部に、前記仕切り体に引掛け可能なフック部が設けられると共に、前記収納容器の前端部に前記被引掛部に引掛け可能な第２フック部が設けられ、前記前板の上辺に左右方向にわたって把手体が備えられ、この把手体の裏側の一部に前記被引掛部が設けられることを特徴とする。
【０００８】
また、前記可動収納体に前記収納容器が取付けられた状態で、前記収納容器の底面が、前記可動収納体の底面と非接触となることが好ましい。
【０００９】
また、前記仕切り体及び前記被引掛部が前記可動収納体の略全巾方向にわたって設けられ、前記可動収納体の巾方向の任意の位置に、前記収納容器が配置可能となっていることも好ましい。
【００１４】
また、前記収納容器は、浅い容器部と深い容器部が一体に形成されていることも好ましい。
【発明の効果】
【００１５】
本発明は、可動収納体に備わっている前板、仕切り体を用いて、収納容器を可動収納体に安定して取付けができて、収納容器が前下がりに傾いたり、回動したりするのを抑制できる。
【図面の簡単な説明】
【００１６】
【図１】本発明の一実施形態の断面図である。
【図２】同上の可動収納体に収納容器を取付けた状態の一部省略斜視図である。
【図３】同上に用いる収納容器を示し、（ａ）は斜視図であり、（ｂ）は上下逆にした状態の斜視図である。
【図４】同上の他の実施形態を示し、（ａ）は一部破断した斜視図であり、（ｂ）は断面図である。
【図５】同上の更に他の実施形態を示し、（ａ）は一部破断した斜視図であり、（ｂ）は断面図である。
【図６】同上のアジャスターで支持した例を示す断面図である。
【図７】（ａ）は同上の収納容器とアジャスターを示す分解斜視図であり、（ｂ）は同上のアジャスターを装着した状態の斜視図である。
【図８】同上の更に他の実施形態の断面図である。
【図９】同上の一部省略した状態の斜視図である。
【発明を実施するための形態】
【００１７】
以下、本発明を添付図面に示す実施形態に基づいて説明する。
【００１８】
収納装置２５は、図１に示すように収納家具１の格納部２の開口２４から出し入れされる可動収納体３と、この可動収納体３に装着される収納容器４とを備えている。
【００１９】
収納家具１としては、例えば、キッチン床面に設置されるキッチンキャビネットを例示できるが、その他の家具であってもよい。
【００２０】
可動収納体３は収納家具１に設けた格納部２に出し入れ自在に収納される。可動収納体３には前板６が設けてあり、この前板６は可動収納体３を格納部２に収納した状態で、格納部２の前面の開口２４を遮蔽する扉を構成している。
【００２１】
可動収納体３は、引出し、開き扉の裏面にバスケットなどの収納部を備えたもの、手前回動式昇降収納体等、収納家具１に設けた格納部２に出し入れ自在に収納されるものであれば、特に限定されない。
【００２２】
以下の実施形態においては、可動収納体３として引出しを例として説明する。
【００２３】
引出しを構成する可動収納体３は、図１、図２に示すように、底面を構成する底面構成体１５の前後、左右に前面構成体、後面構成体１６、側面構成体１７を設けて上方に開口する箱状に形成している。
【００２４】
前面構成体は前板６で構成しており、前板６は後面構成体１６、側面構成体１７より背が高くなっている。
【００２５】
この前板６は、背面上部に被引掛部７を設けている。図１、図２に示す実施形態では前板本６の背面上部にフック金具２１を取付けて被引掛部７を構成している。
【００２６】
側面構成体１７は、底面構成体１５上に立設された側壁１９と、前面構成体である前板６の左右両端と後面構成体１６の左右両端間にそれぞれ架設されて前記側壁１９の上方に位置する棒状の側面ガード体２０とで構成している。
【００２７】
仕切り体５は両側の側面構成体１７間に架設されるもので、添付図面に示す実施形態は棒状をした仕切り体５の例を示しており、仕切り体５を架設することで可動収納体３内を前後方向に仕切って区画区分している。
【００２８】
収納容器４は、左右方向の巾寸法が可動収納体３の左右両側面構成体１７間の寸法と略同じ、又は、短く構成している。図１には収納容器４の左右方向の巾寸法が可動収納体３の左右両側面構成体１７間の寸法より短い例を示している。
【００２９】
この収納容器４には、図３に示すように、後端（図の実施形態では後端下部）に前記仕切り体５に引掛け可能なフック部８を設けており、このフック部８は断面逆Ｌ状をしている。また、収納容器４には、前端（図の実施形態では前端上部）に前板６の背面上部に設けた被引掛部７に引掛け可能な第２フック部９を設けており、この第２フック部９は、断面逆Ｕ状をしている。
【００３０】
また、図３に示す実施形態では、フック部８は収納容器４の後面から後方に突出して形成しており、また、第２フック部９は収納容器４の前面から前方に突出して形成している。
【００３１】
収納容器４は可動収納体３に上方から着脱自在に装着する。
【００３２】
収納容器４を可動収納体３に装着するには、図１に示すように、フック部８を仕切り体５に引掛けると共に第２フック部９を前板６背面に設けた被引掛部７に引掛けることで装着する。
【００３３】
このように、収納容器４の前後をそれぞれ引掛けて支持するので、収納容器４に荷重が作用しても収納容器４が傾いたり、回動したりすることなく、安定して装着できる。
【００３４】
また、収納容器４の前端部を前板６で支持できるので、部材の簡略化が図れると共に、可動収納体３の形状を保持する構造部材の一つである前板６で収納容器４からの荷重を受けることができて、収納容器４の支持が安定する。
【００３５】
また、前板６と収納容器４の前端との間に隙間が生じないように支持することが可能となり、収まりが良くなると共に、前記隙間からゴミなどがこぼれ落ちるのを抑制することが可能となる。
【００３６】
ここで、仕切り体５及び被引掛部７を可動収納体３の略全巾方向にわたって設け、収納容器４の左右方向の巾寸法が可動収納体３の左右両側面構成体１７間の寸法よりも短い場合は、可動収納体３の左右方向（巾方向）の任意の位置に、収納容器４を配置できる。
【００３７】
前記のように収納容器４を可動収納体３に装着した状態で、収納容器４の底面が、可動収納体３の底面を構成する底面構成体に非接触となり、可動収納体３内の収納容器４の底面より下方に容器下収納空所２３が形成されることになる。
【００３８】
したがって、可動収納体３内に、収納容器４が上の収納部となり、容器下収納空所２３が下の収納部となる上下２段収納構造を構成できる。
【００３９】
これにより、頻繁に使用する収納物を上の収納部である収納容器４に収納し、あまり頻繁に使用しない小物を下の収納部である容器下収納空所２３に収納するといった利用形態が可能となる。
【００４０】
また、収納容器４の左右方向の巾寸法が可動収納体３の左右両側面構成体１７間の寸法よりも短い場合、可動収納体３の前板６のすぐ後ろの収納容器４を配設していない部分においては、収容容器４の底面上に背の高い収納物を収納することができる。
【００４１】
ここで、図１に示すように、被引掛部７を、仕切り体５より上方に位置させ、第２フック部９をフック部８より上方に位置させた構成にすると、収納容器４の上部又は大部分を側面構成体１７よりも上方に配設することができる。
【００４２】
この結果、収納容器４の下方の容器下収納空所２３の上下高さが高くなり、収納量を増やすことができる。
【００４３】
図４には前板６の背側に被引掛部７を設ける他の実施形態を示している。
【００４４】
本実施形態においては、前板本体１８の上端辺に左右方向の全長にわたって把手体１０を設け、この把手体１０の背側の一部に被引掛部７を設けている。
【００４５】
把手体１０はアルミニウムの押し出し成形により形成され、把手体１０の背面下部に上方が開口する溝状をした被引掛部７が把手体１０の全長にわたって（左右方向にわたって）把手体１０と一体に形成される。
【００４６】
このように、把手体１０に被引掛部７を一体に設けることで、前述の実施形態のようなフック金具２１を別途必要とせず、部品の共用化が図れ、コストダウンが図れる。
【００４７】
図５には前板６の背側に被引掛部７を設ける他の実施形態を示している。本実施形態は、溝状に形成された被引掛部７を前板６の背側に設けるに当り、被引掛部７の一部又は全部を前板６の厚み内に位置するように構成している。これにより、被引掛部７の前板６の背面からの出っ張りをゼロ、又は、短くでき、前板６裏の掃除等の利便性が向上する。
【００４８】
図５の実施形態は、溝状に形成された被引掛部７の全部が前板６の厚み内に位置して被引掛部７が前板６の背面から張り出さないよう形成した例を示している。
【００４９】
本例においては、把手体１０の前後巾内に背面側に開口する掘り込み溝形状の被引掛部７を左右方向の全長にわたって形成した例を示している。もちろん、前板本体１８の上部に上部が背面側に開口する掘り込み溝形状の被引掛部７を左右方向の一部又は全長にわたって形成してもよい。
【００５０】
前記各実施形態においては、フック部８を仕切り体５に引掛けると共に第２フック部９を前板６背面に設けた被引掛部７に引掛けた例を示している。しかし、仕切り体５による可動収納体３内の前後方向の仕切り位置を変更すると、フック部８を仕切り体５に引掛けることができず、収納容器４が前端部の第２フック部９部分でしか支持されない場合が生じる。
【００５１】
そこで、このような場合は、図６、図７示すような別体のアジャスター１２を用いて収納容器４の後端部を支持するようにするのが好ましい。
【００５２】
アジャスター１２は、フック部８に装着可能な係合部１１を上端部に設けている。そして、係合部１１をフック部８に装着した状態で被引掛部７に前記第２フック部９を引掛けることで、アジャスター１２の下端が可動収納体３の底面に接触するように構成している。
【００５３】
これにより、収納容器４は前端部が第２フック部９を介して前板６で支持され、後端部がフック部８、アジャスター１２を介して可動収納体３の底面構成体１５で支持され、収納容器４の前端部、後端部が安定して支持されることになる。
【００５４】
ところで、収納容器４は全体が同じ深さに形成してもよいが、図８、図９のように、浅い容器部１３と深い容器部１４を一体に形成して収納容器４を構成してもよい。図８、図９の実施形態では浅い容器部１３と深い容器部１４を左右方向に並設している。
【００５５】
この実施形態においては、浅い容器部１３に背の低い収納物を収納し、深い容器部１４に背の高い収納部を収納することができる。
【００５６】
この場合、浅い容器部１３、深い容器部１４とも、下部又は全体が液体が漏れないような非孔あき構造とすることで、収納物から汚れ汁等がこぼれても、浅い容器部１３、深い容器部１４の底部で受けて、底面構成体１５に汚れ汁垂れが直接付着しないようにできる。
【００５７】
また、被引掛部７と仕切り体５を同じ高さとすると共に、第２フック部９とフック部８を同じ高さとしてもよい。
【００５８】
この場合、第２フック部９、フック部８の断面形状を同じ形状にすると、収納容器４を前後逆にしても装着でき、収納容器４の装着方向を問わない。
【００５９】
特に、図８、図９のように浅い容器部１３と深い容器部１４を左右方向に並設して構成した収納容器４においては、収納容器４を前後逆に装着することで、浅い容器部１３と深い容器部１４の位置関係を左右逆にできる。
【００６０】
本実施形態は、浅い容器部１３と深い容器部１４の左右位置の選択が自由になるので、利用者の使い勝手を向上できる。
【符号の説明】
【００６１】
１  収納家具
２  格納部
３  可動収納体
４  収納容器
５  仕切り体
６  前板
７  被引掛部
８  フック部
９  第２フック部
１０  把手体
１１  係合部
１２  アジャスター
１３  浅い容器部
１４  深い容器部
２４  開口
２５  収納装置
【図１】
0005592773.tif 000002
【図２】
0005592773.tif 000003
【図３】
0005592773.tif 000004
【図４】
0005592773.tif 000005
【図５】
0005592773.tif 000006
【図６】
0005592773.tif 000007
【図７】
0005592773.tif 000008
【図８】
0005592773.tif 000009
【図９】
0005592773.tif 000010